(57)【要約】　　　（修正有）【課題】核分割スパーテルによって分割された核片を角膜内皮に衝突しないようにコントロールして、超音波乳化吸引装置の吸引チューブの吸引孔に誘導することができる核分割スパーテルを提供する。【解決手段】把持部と、該把持部の一方の端部に連結した先細のシャフト部と、該シャフト部の先端部とからなる核分割スパーテルにおいて、該先端部に、２本の細線６からなる円形若しくは楕円形状の空間５が形成された部分を有していることを特徴とする核分割スパーテル。【選択図】図２
0003098796.tif 000002
【実用新案登録請求の範囲】
【請求項１】
把持部と、該把持部の一方の端部に連結した先細のシャフト部と、該シャフト部の先端部とからなる核分割スパーテルにおいて、該先端部に、２本の細線からなる円形若しくは楕円形状の空間が形成された部分を有していることを特徴とする核分割スパーテル。
【請求項２】
上記空間を形成する細線の太さが、０．２〜０．３ｍｍであり、上記空間の内周の長径が１．８〜２．２ｍｍであり、短径が０．５〜０．９ｍｍである請求項１に記載の核分割スパーテル。
【請求項３】
上記空間の先端に細線を介してヘラ状の頭部が形成されている請求項１に記載の核分割スパーテル。
【考案の詳細な説明】
【０００１】
【考案の属する技術分野】
本考案は、核分割スパーテルに関し、さらに詳しくは白内障の手術に際し、水晶体核片が角膜内皮を傷つけることなく、核化水晶体を超音波吸引することができる核分割スパーテルに関する。
【０００２】
【従来の技術】
白内障は水晶体が濁り、視力が低下するという老人性の疾患である。白内障患者は加齢とともに増大し、６０才代で７０％、７０才代で９０％の人に白内障の障害を生じると言われている。白内障は放置することにより進行し、薬剤によってその進行を遅らせることができるが、根治できず、手術によって濁った水晶体を除去し、人工水晶体（眼内レンズ）を挿入する以外に治療法はない。従って高齢化社会においては益々白内障の問題が大きくなっている。
【０００３】
白内障手術において、濁った水晶体を除去する方法としては、超音波乳化吸引方式が有効であり広く使用されている（特許文献１）。この超音波乳化吸引方式は、水晶体の前嚢を除去した後、灌流液を供給しながら超音波で水晶体を破砕または乳化しつつ吸引除去する方法であるが、吸引チューブの先端による超音波では破砕または乳化が困難な硬化した水晶体核部分を核分割スパーテルと称される補助器具を用いて小片に分割して吸引チューブにより吸引除去している。
【０００４】
上記超音波乳化吸引方式において、超音波振動による水晶体核の破砕または乳化に際し、灌流液が流動するが、その際破砕された核片が、再生不能な角膜内皮を損傷しないことが必須である。従って、前記核分割スパーテルによって核を分割するとともに、分割された核片が角膜内皮方向に流動しないように、上記スパーテルによって超音波吸引チューブの吸引孔に核片を誘導する必要がある。
【０００５】
【特許文献１】
特開２００２−１５３４９９公報
【０００６】
【考案が解決しようとする課題】
前記核分割スパーテルは、株式会社イナミの眼科手術機械に関するカタログの６８〜７１頁に種々の形状のものが記載されているが、何れも把持部の一方の単に先細の金属製シャフトを備え、該シャフトの先端に各種形状、例えば、ヘラ状の頭部を有している。前記超音波乳化吸引方式により白内障の手術をする際には、このような核分割スパーテルを併用し、超音波では破砕または乳化されない核片を破砕分割して、吸引チューブによって吸引除去している。
【０００７】
しかしながら、上記従来の核分割スパーテルの場合には、ヘラ状の頭部により、分割された核片を制御することが困難であり、灌流によって、核片が角膜の内皮に衝突し、上記内皮を傷つけるという危険性があった。
従って本考案の目的は、核分割スパーテルによって分割された核片を角膜内皮に衝突しないようにコントロールして、超音波乳化吸引装置の吸引チューブの吸引孔に誘導することができる核分割スパーテルを提供することである。
【０００８】
【課題を解決するための手段】
上記目的は以下の本考案によって達成される。すなわち、本考案は、把持部と、該把持部の一方の端部に連結した先細のシャフト部と、該シャフト部の先端部とからなる核分割スパーテルにおいて、該先端部に、２本の細線からなる円形若しくは楕円形状の空間（以下単に「リング」という）が形成された部分を有していることを特徴とする核分割スパーテルを提供する。
【０００９】
上記本考案においては、リングを形成する細線の太さが、０．２〜０．３ｍｍであり、リングの内周の長径が１．８〜２．２ｍｍであり、短径が０．５〜０．９ｍｍであること、およびリングの先端に細線を介してヘラ状の頭部が形成されていることが好ましい。
【００１０】
【考案の実施の形態】
次に図面に示す好ましい実施の形態を挙げて本考案をさらに詳しく説明する。本考案の核分割スパーテルは、図１およびその部分拡大図である図２に示すように、把持部１と、該把持部１の一方の端部に連結した先細のシャフト部２と、該シャフト部２の先端部３とからなる核分割スパーテルにおいて、該先端部３が、２本の細線４，４’からなるリング５を有していることを特徴としている。
【００１１】
上記本考案の核分割スパーテルにおける把持部１は、従来公知の核分割スパーテルの把持部と同様であり、白内障手術に際して指で保持して、先端部の細かい動きを制御し得るように、適当な太さで、かつその表面は適当な滑り止め加工が施されている。シャフト部２の構成も従来公知の核分割スパーテルのシャフト部と同様に先細の金属細線からなり、作業がし易いようにその中心付近において適当な角度に曲げられている。これらの曲げ角度も従来公知の核分割スパーテルと同様である。
【００１２】
本考案の核分割スパーテルの特徴は、図１および図２に示すように、先端部３の形状に特徴を有する。すなわち、先端部３は、シャフト部２の端部に近い部分が２本の細線４，４’に分割されて一定の長さ延長され、リング５を形成し、該細線４，４’はその先で合流し、その最先端部にヘラ状の頭部７が形成されている。
【００１３】
本考案の核分割スパーテルにおいては、上記先端部３の構成が最も重要であり、リング５を形成する細線４，４’の太さが、０．２〜０．３ｍｍであり、リング５の内周の長径が１．８〜２．２ｍｍであり、短径が０．５〜０．９ｍｍであることが特に好ましい。リングの形状が大き過ぎると、水晶体内に先端部３を有するシャフト部２を挿入する際の切開部が大きくなり、灌流液の流出が増大し、分割された小さな核片を制御することができない。また、上記のリングが小さ過ぎると、本考案者の経験によれば、分割した核片の灌流液内での流動を抑えることが不安定になり、核片が灌流とともに移動し、角膜内皮を傷つける可能性が高まる。また、リングを形成する細線の太さが細過ぎても太過ぎても手術の際の作業が不安定となり、また、適当な形状のリングを形成することが困難になる。
【００１４】
また、本考案の核分割スパーテルにおいては、リングの先端に細線６を介してヘラ状の頭部７が形成されていることが好ましい。この頭部７の形状は従来技術の核分割スパーテルのヘラ状頭部と同様であり、このヘラ状頭部によって、超音波乳化吸引装置において、破砕若しくは乳化されない、若しくは困難である硬化水晶体の核片を分割して小片とし、超音波乳化吸引装置によって吸引されるようにする。上記ヘラ状頭部は太さ０．２〜０．３ｍｍおよび長さ１．３〜１．７ｍｍの細線６を介して結合しており、頭部７の最大幅は０．５〜０．７ｍｍ程度が好適である。
【００１５】
次に本考案の核分割スパーテルの使用方法を簡便に説明する。先ず白内障患者の目の角膜周辺を２個所切開し、手術顕微鏡で観察しながら、一方の切開孔から適当な器具を挿入し水晶体の前嚢を切開および剥離除去する。次いで一方の切開孔から公知の超音波乳化吸引装置の吸引チューブを挿入する。他方の切開孔から本考案の核分割スパーテルの先端部とシャフト部の一部を挿入する。超音波乳化吸引装置の吸引チューブを水晶体核に接触させ、超音波により破砕または乳化して吸引を行う。この際超音波により破砕または乳化できない硬化部分を前記核分割スパーテルの頭部を用いて小片に分割する。
【００１６】
分割によって小片となった核片は超音波乳化吸引装置の吸引チューブによって吸引されるが、上記処置中に灌流液が流動しており、かつ水晶体の前嚢が除去されている状態であるから、小核片が移動して角膜内皮に衝突する危険がある。本考案の核分割スパーテルを用いることによって、上記小核片を核分割スパーテルの先端部に形成されたリングにより捕捉し、超音波乳化吸引装置の吸引チューブの吸引孔に誘導し、小核片を自由に移動させることなく吸引除去することができる。
【００１７】
【考案の効果】
以上説明したように、本考案によれば、核分割スパーテルによって分割された核片を角膜内皮に衝突しないようにコントロールして、超音波乳化吸引装置の吸引チューブの吸引孔に誘導することができる核分割スパーテルを提供することができる。
【図面の簡単な説明】
【図１】本考案の核分割スパーテルの全体斜視図。
【図２】図１の部分拡大図。
【符号の説明】
１：把持部
２：シャフト部
３：先端部
４，４’：細線
５：リング（円形若しくは楕円形状の空間）
６：細線
７：頭部
【図１】
0003098796.tif 000003
【図２】
0003098796.tif 000004